(57)【要約】【課題】ポリ塩化ビフェニルを含有する潤滑油と、潤滑油を除いた後に微量のポリ塩化ビフェニルが残留した廃棄物本体とを分離したものを同一の装置内で効率よく無害化処理することができるポリ塩化ビフェニル含有物の処理装置及びポリ塩化ビフェニル含有物の処理方法を提供する。【解決手段】ポリ塩化ビフェニル含有物の処理装置１は、ポリ塩化ビフェニル含有物からポリ塩化ビフェニル含有潤滑油Ｚ１を除去した廃棄物本体Ｚ２を炭化する炭化室２と、ポリ塩化ビフェニル含有潤滑油Ｚ１を燃焼して無害化する燃焼室３と、を備えることを特徴とする。【選択図】図１
2018080850.tif 000002
【特許請求の範囲】
【請求項１】
ポリ塩化ビフェニルを含有したポリ塩化ビフェニル含有潤滑油を有するポリ塩化ビフェニル含有物を処理するポリ塩化ビフェニル含有物の処理装置であって、
前記ポリ塩化ビフェニル含有物からポリ塩化ビフェニル含有潤滑油を除去した後に微量のポリ塩化ビフェニルが残留した廃棄物本体を炭化する炭化室と、
前記ポリ塩化ビフェニル含有潤滑油を燃焼して無害化する燃焼室と、を備えることを特徴とするポリ塩化ビフェニル含有物の処理装置。
【請求項２】
前記燃焼室に、前記ポリ塩化ビフェニル含有潤滑油を供給するポリ塩化ビフェニル含有潤滑油供給路と、
前記炭化室で発生したポリ塩化ビフェニル含有ガスを取り出し、前記燃焼室に導入するオフガス供給路と、を備え、
前記燃焼室は、前記ポリ塩化ビフェニル含有潤滑油供給路から供給された前記ポリ塩化ビフェニル含有潤滑油及び前記オフガス供給路から供給された前記ポリ塩化ビフェニル含有ガスを燃焼して無害化することを特徴とする請求項１に記載のポリ塩化ビフェニル含有物の処理装置。
【請求項３】
前記ポリ塩化ビフェニル含有物は、潤滑油入りケーブルであることを特徴とする請求項１または２に記載のポリ塩化ビフェニル含有物の処理装置。
【請求項４】
ポリ塩化ビフェニルを含有したポリ塩化ビフェニル含有潤滑油を有するポリ塩化ビフェニル含有物を処理するポリ塩化ビフェニル含有物の処理方法であって、
前記ポリ塩化ビフェニル含有物から、ポリ塩化ビフェニル含有潤滑油と該ポリ塩化ビフェニル含有潤滑油を除去した後に微量のポリ塩化ビフェニルが残留した廃棄物本体とに分離する分離工程と、
前記廃棄物本体を炭化室で炭化する炭化工程と、
前記ポリ塩化ビフェニル含有潤滑油を燃焼室で燃焼して無害化する燃焼工程と、を備えることを特徴とするポリ塩化ビフェニル含有物の処理方法。
【請求項５】
前記燃焼工程では、前記燃焼室に供給された前記ポリ塩化ビフェニル含有潤滑油及び前記炭化室で発生したポリ塩化ビフェニル含有ガスを燃焼して、前記ポリ塩化ビフェニル含有潤滑油及び前記ポリ塩化ビフェニル含有ガスを無害化することを特徴とする請求項４に記載のポリ塩化ビフェニル含有物の処理方法。
【請求項６】
前記ポリ塩化ビフェニル含有物は、潤滑油入りケーブルであることを特徴とする請求項４または５に記載のポリ塩化ビフェニル含有物の処理方法。
【発明の詳細な説明】
【技術分野】
【０００１】
本発明は、ポリ塩化ビフェニル含有物の処理装置及びポリ塩化ビフェニル含有物の処理方法に関するものである。
【背景技術】
【０００２】
従来から、廃棄物を処理する処理装置として、例えば特許文献１に示されるように、廃棄物をロータリーキルン内で転動させながら、廃棄物に高温加熱蒸気を吹き付けることで無害化処理する廃棄物処理装置が知られている。
【０００３】
ところで、地中送電線等として使用されるＯＦケーブルは、内部の螺旋管に絶縁油（潤滑油）が満たされ、外部から常時油圧調整をする構成となっている。潤滑油の中にはポリ塩化ビフェニル（ＰＣＢ）が含まれた物がある。ポリ塩化ビフェニル含有物は、難分解性で人の健康や生活環境に影響を及ぼす虞があるため、現在では使用が制限されている。
【０００４】
しかしながら、使用制限される以前には、ポリ塩化ビフェニルが含まれたＯＦケーブルが使用されており、これらを撤去、改修する場合には、適切に処理することが法規制により義務付けられている。
【先行技術文献】
【特許文献】
【０００５】
【特許文献１】特開２００２−２８２８１７号公報
【発明の概要】
【発明が解決しようとする課題】
【０００６】
上記に示す特許文献１に記載の廃棄物処理装置を用いて、潤滑油にポリ塩化ビフェニルが含まれたＯＦケーブルを処理するためには、ＯＦケーブル全体をロータリーキルン内で転動させながら、高温加熱蒸気を吹き付けて無害化する必要があり、無害化する必要のある潤滑油の量に対して処理量が大きくなるという問題がある。このため、効率よく処理する方法が求められており、その点で改善の余地があった。
【０００７】
そこで、本発明は、上記事情に鑑みてなされたものであり、ポリ塩化ビフェニルを含有する潤滑油と、潤滑油を除いた後に微量のポリ塩化ビフェニルが残留した廃棄物本体とを分離したものを同一の装置内で効率よく無害化処理することができるポリ塩化ビフェニル含有物の処理装置及びポリ塩化ビフェニル含有物の処理方法を提供する。
【課題を解決するための手段】
【０００８】
上記目的を達成するために、本発明は以下の手段を採用している。
すなわち、本発明に係るポリ塩化ビフェニル含有物の処理装置は、ポリ塩化ビフェニルを含有したポリ塩化ビフェニル含有潤滑油を有するポリ塩化ビフェニル含有物を処理するポリ塩化ビフェニル含有物の処理装置であって、前記ポリ塩化ビフェニル含有物からポリ塩化ビフェニル含有潤滑油を除去した後に微量のポリ塩化ビフェニルが残留した廃棄物本体を炭化する炭化室と、前記ポリ塩化ビフェニル含有潤滑油を燃焼して無害化する燃焼室と、を備えることを特徴とする。
【０００９】
このように構成された塩化ビフェニル含有物の処理装置では、炭化室では、ポリ塩化ビフェニルを含有したポリ塩化ビフェニル含有潤滑油を有するポリ塩化ビフェニル含有物からポリ塩化ビフェニル含有潤滑油を除去した後に微量のポリ塩化ビフェニルが残留した廃棄物本体を炭化する。また、燃焼室では、ポリ塩化ビフェニル含有物から除去されたポリ塩化ビフェニル含有潤滑油を燃焼して無害化する。同時に、同一の処理装置内において、炭化室を加熱することで微量のポリ塩化ビフェニルが残留した廃棄物本体からポリ塩化ビフェニルをオフガス中に移行させ、燃焼室では廃棄物本体を燃焼せずにポリ塩化ビフェニル含有潤滑油を燃焼して、ポリ塩化ビフェニル含有物を効率よく無害化処理することができる。
【００１０】
また、本発明に係るポリ塩化ビフェニル含有物の処理装置は、前記燃焼室に、前記ポリ塩化ビフェニル含有潤滑油を供給するポリ塩化ビフェニル含有潤滑油供給路と、前記炭化室で発生したポリ塩化ビフェニル含有ガスを取り出し、前記燃焼室に導入するオフガス供給路と、を備え、前記燃焼室は、前記ポリ塩化ビフェニル含有潤滑油供給路から供給された前記ポリ塩化ビフェニル含有潤滑油及び前記オフガス供給路から供給された前記ポリ塩化ビフェニル含有ガスを燃焼して無害化することが好ましい。
【００１１】
このように構成された塩化ビフェニル含有物の処理装置では、燃焼室には、ポリ塩化ビフェニル含有潤滑油供給路からポリ塩化ビフェニル含有潤滑油が供給され、オフガス供給路から炭化室で発生したポリ塩化ビフェニル含有ガスが導入される。燃焼室はオフガス供給路から供給されたポリ塩化ビフェニル含有ガス（オフガス）を燃焼して、無害化することができる。
【００１２】
また、本発明に係るポリ塩化ビフェニル含有物の処理装置では、前記ポリ塩化ビフェニル含有物は、潤滑油入りケーブルであってもよい。
【００１３】
このように構成された塩化ビフェニル含有物の処理装置では、潤滑油入りケーブルを炭化・無害化することができる。
【００１４】
また、本発明に係るポリ塩化ビフェニル含有物の処理方法は、ポリ塩化ビフェニルを含有したポリ塩化ビフェニル含有潤滑油を有するポリ塩化ビフェニル含有物を処理するポリ塩化ビフェニル含有物の処理方法であって、前記ポリ塩化ビフェニル含有物から、ポリ塩化ビフェニル含有潤滑油と該ポリ塩化ビフェニル含有潤滑油を除去した後に微量のポリ塩化ビフェニルが残留した廃棄物本体とに分離する分離工程と、前記廃棄物本体を炭化室で炭化する炭化工程と、前記ポリ塩化ビフェニル含有潤滑油を燃焼室で燃焼して無害化する燃焼工程と、を備えることを特徴とする。
【００１５】
このように構成された塩化ビフェニル含有物の処理方法では、分離工程では、ポリ塩化ビフェニル含有物から、ポリ塩化ビフェニル含有潤滑油とポリ塩化ビフェニル含有潤滑油を除去した後に微量のポリ塩化ビフェニルが残留した廃棄物本体とに分離する。炭化工程では、炭化室で、分離された廃棄物本体を炭化する。燃焼工程では、燃焼室で、分離工程で分離されたポリ塩化ビフェニル含有潤滑油を燃焼して無害化する。よって、同一の処理装置内において、燃焼室で廃棄物本体を燃焼せずにポリ塩化ビフェニル含有潤滑油を燃焼すればよく、ポリ塩化ビフェニル含有物を効率よく無害化処理することができる。
【００１６】
また、本発明に係るポリ塩化ビフェニル含有物の処理方法は、前記燃焼工程では、前記燃焼室に供給された前記ポリ塩化ビフェニル含有潤滑油及び前記炭化室で発生したポリ塩化ビフェニル含有ガスを燃焼して、前記ポリ塩化ビフェニル含有潤滑油及び前記ポリ塩化ビフェニル含有ガスを無害化することが好ましい。
【００１７】
このように構成された塩化ビフェニル含有物の処理方法では、燃焼工程では、燃焼室に供給されたポリ塩化ビフェニル含有潤滑油及び炭化室で発生したポリ塩化ビフェニル含有ガスを燃焼する。よって、ポリ塩化ビフェニル含有潤滑油及びポリ塩化ビフェニル含有ガスを燃焼して、無害化することができる。
【００１８】
また、本発明に係るポリ塩化ビフェニル含有物の処理方法では、前記ポリ塩化ビフェニル含有物は、潤滑油入りケーブルであってもよい。
【００１９】
このように構成された塩化ビフェニル含有物の処理方法では、潤滑油入りケーブルを炭化・無害化することができる。
【発明の効果】
【００２０】
本発明に係るポリ塩化ビフェニル含有物の処理装置及びポリ塩化ビフェニル含有物の処理方法によれば、ポリ塩化ビフェニルを含有する潤滑油と、潤滑油を除後に微量のポリ塩化ビフェニルが残留した廃棄物本体とを分離したものを同一の装置内で効率よく無害化処理することができる。
【図面の簡単な説明】
【００２１】
【図１】本発明の一実施形態に係るポリ塩化ビフェニル含有物の処理装置の構成を示す模式図である。
【発明を実施するための形態】
【００２２】
本発明の一実施形態に係るポリ塩化ビフェニル含有物の処理装置及びポリ塩化ビフェニル含有物の処理方法について、図１を用いて説明する。
まず、ポリ塩化ビフェニル含有物の処理装置について説明する。
図１は、本発明の一実施形態に係るポリ塩化ビフェニル含有物の処理装置の構成を示す模式図である。
図１に示すように、処理装置（ポリ塩化ビフェニル含有物の処理装置）１は、炭化室２と、燃焼室３と、ポリ塩化ビフェニル含有潤滑油供給路４と、オフガス供給路５と、を備えている。
本処理装置１が処理する廃棄物は、ポリ塩化ビフェニルを含有したポリ塩化ビフェニル含有潤滑油を有するポリ塩化ビフェニル含有物であり、一例として潤滑油入りケーブル（ＯＦケーブル）Ｚを例に挙げて説明する。潤滑油入りケーブルＺは、地中送電線等として使用されているものである。
【００２３】
分離装置１１において、潤滑油入りケーブルＺは、ポリ塩化ビフェニル含有潤滑油Ｚ１と、ポリ塩化ビフェニル含有潤滑油Ｚ１を除去した後に微量のポリ塩化ビフェニルが残留した廃棄物本体Ｚ２とに、分離される。
【００２４】
炭化室２は、処理装置１の内部に配置され、無酸素または低酸素還元雰囲気内において、炉内温度を約６００℃まで上昇させて有機物を熱分解し、炭化物、液状成分、ガス成分等に分離する。本実施形態では、一回毎に廃棄対象物を投入し一括して炭化処理するバッチ式が採用されている。
【００２５】
本実施形態では、炭化室２は、分離装置１１で分離され微量のポリ塩化ビフェニルが残留した廃棄物本体Ｚ２を炭化する。潤滑油入りケーブルＺを被覆しているビニール等は炭に熱分解され、金属ケーブルは酸化することなく金属が回収される。
【００２６】
また、炭化室２で発生したオフガス（微量のポリ塩化ビフェニルを含むガス、ポリ塩化ビフェニル含有ガス）Ｙ５は、オフガス供給路５により取り出され、燃焼室３に導入され、オフガス燃焼バーナーＢ５で燃焼される。
【００２７】
ポリ塩化ビフェニル含有潤滑油供給路４は、分離装置１１と燃焼室３とを接続し、燃焼室３に分離装置１１で分離されたポリ塩化ビフェニル含有潤滑油Ｚ１を供給する。ポリ塩化ビフェニル含有潤滑油Ｚ１は、燃焼室３においてポリ塩化ビフェニル含有潤滑油燃焼バーナーＢ４で燃焼される。また、燃焼室３では、供給された燃料油Ｐは燃料油燃焼バーナーＢＰで燃焼される。
【００２８】
燃焼室３には、燃料油Ｐ、分離装置１１で分離されたポリ塩化ビフェニル含有潤滑油Ｚ１及びオフガスＹ５が供給される。燃焼室３は、燃料油Ｐ、ポリ塩化ビフェニル含有潤滑油Ｚ１及びオフガスＹ５により、室内を８５０〜１０００℃に２秒以上加熱する。これにより、ポリ塩化ビフェニル含有潤滑油Ｚ１及びオフガスＹ５は、燃焼され無害化される。
【００２９】
次に、ポリ塩化ビフェニル含有物の処理方法について説明する。
まず、分離工程を行う。
分離装置１１において、潤滑油入りケーブルＺを、ポリ塩化ビフェニル含有潤滑油Ｚ１と、ポリ塩化ビフェニル含有潤滑油Ｚ１を除去した後に微量のポリ塩化ビフェニルが残留した廃棄物本体Ｚ２とに、分離する。
【００３０】
炭化工程を行う。
炭化室２で、後述する燃焼室３での燃焼熱により室内温度を４００〜７００℃まで加熱され、廃棄物本体Ｚ２を炭化させる。この際に、発生したオフガスＹ５は、オフガス供給路５により取り出される。
【００３１】
燃焼工程を行う。
燃焼室３は、燃料油Ｐ及びポリ塩化ビフェニル含有潤滑油供給路４から供給されたポリ塩化ビフェニル含有潤滑油Ｚ１及びオフガス供給路５から供給されたオフガスＹ５を、それぞれポリ塩化ビフェニル含有潤滑油燃焼バーナーＢ４及びオフガス燃焼バーナーＢ５で燃焼する。室内を８５０〜１０００℃に２秒以上加熱し、ポリ塩化ビフェニル含有潤滑油Ｚ１及びオフガスＹ５を燃焼し無害化する。なお、ポリ塩化ビフェニル含有潤滑油Ｚ１及びオフガスＹ５による燃焼により、炭化室２内の温度を４００〜７００℃まで加熱できない場合には、燃焼室３において燃料油Ｐで燃焼することで炭化室２内の温度を維持する。
【００３２】
このように構成されたポリ塩化ビフェニル含有物の処理装置１及びポリ塩化ビフェニル含有物の処理方法によれば、炭化室２では、潤滑油入りケーブルＺからポリ塩化ビフェニル含有潤滑油Ｚ１を除去した後に微量のポリ塩化ビフェニルが残留した廃棄物本体Ｚ２を炭化する。また、燃焼室３では、潤滑油入りケーブルＺから除去されたポリ塩化ビフェニル含有潤滑油Ｚ１及びオフガスＹ５を燃焼して無害化する。よって、同一の処理装置１内において、燃焼室３で廃棄物本体Ｚ２を燃焼せずにポリ塩化ビフェニル含有潤滑油Ｚ１及びオフガスＹ５を燃焼すればよく、潤滑油入りケーブルＺを効率よく無害化処理することができる。
【００３３】
なお、上述した実施の形態において示した各構成部材の諸形状や組み合わせ等は一例であって、本発明の主旨から逸脱しない範囲において設計要求等に基づき種々変更可能である。
【符号の説明】
【００３４】
１…処理装置（ポリ塩化ビフェニル含有物の処理装置）
２…炭化室
３…燃焼室
４…ポリ塩化ビフェニル含有潤滑油供給路
５…オフガス供給路
１１…分離装置
Ｐ…燃料油
Ｙ５…オフガス（ポリ塩化ビフェニルを含むガス）
Ｚ…潤滑油入りケーブル（ポリ塩化ビフェニル含有物）
Ｚ１…ポリ塩化ビフェニル含有潤滑油
Ｚ２…微量のポリ塩化ビフェニルが残留する廃棄物本体
Ｂ４…ポリ塩化ビフェニル含有潤滑油燃焼バーナー
Ｂ５…オフガス燃焼バーナー
ＢＰ…燃料油燃焼バーナー
【図１】
2018080850.tif 000003